(57)【特許請求の範囲】
【請求項１】
撮影レンズによって結像された被写体像を観察するための光学ファインダと、前記撮影レンズによって結像された被写体像を撮像する撮像手段と、前記光学ファインダを構成する接眼レンズの光路に配置された光路変更手段によって曲げられた光路上に配置され、且つ前記撮像手段にて得られた撮像画像を表示する電子ビューファインダと、被写体内の人物判定を行う人物判定手段と、を備え、前記光学ファインダの光学倍率が前記電子ビューファインダの光学倍率より大きい撮影装置であって、
前記撮像手段で得られた撮影画像の全範囲を前記電子ビューファインダにて表示する第１の表示モードと、前記撮像手段で得られた撮影画像を画像処理にて前記光学ファインダの光学倍率に一致するように拡大して前記電子ビューファインダに表示する第２の表示モードの少なくとも２つの表示モードを有し、
前記人物判定手段にて前記被写体内に人物が存在すると判定された場合、前記第２の表示モードを選択することを特徴とする撮影装置。
【請求項２】
撮影レンズによって結像された被写体像を観察するための光学ファインダと、前記撮影レンズによって結像された被写体像を撮像する撮像手段と、前記光学ファインダを構成する接眼レンズの光路に配置された光路変更手段によって曲げられた光路上に配置され、且つ前記撮像手段にて得られた撮像画像を表示する電子ビューファインダと、被写体内の人物判定を行う人物判定手段と、を備え、前記光学ファインダの光学倍率が前記電子ビューファインダの光学倍率より大きい撮影装置であって、
前記撮像手段で得られた撮影画像の全範囲を前記電子ビューファインダにて表示する第１の表示モードと、前記撮像手段で得られた撮影画像を画像処理にて前記光学ファインダの光学倍率に一致するように拡大して前記電子ビューファインダに表示する第２の表示モードと、前記人物判定手段にて前記被写体内に人物が存在すると判定された場合、前記撮像手段で得られた撮影画像を画像処理にて人物を含む特定領域を前記光学ファインダの光学倍率に一致するように部分的に拡大し、前記人物を含む特定領域から表示画面周辺に至るまでの領域について段階的に前記光学ファインダの光学倍率よりも低い倍率となるよう表示することによって、前記撮像手段で得られた撮影画像の全範囲を前記電子ビューファインダにて表示する第３の表示モードの少なくとも３つの表示モードを有することを特徴とする撮影装置。
【発明の詳細な説明】
【技術分野】
【０００１】
本発明は、撮影装置のファインダに関するものであり、特に、光学ファインダと電子ビューファインダの２つのファインダ機能を有し、光学ファインダと電子ビューファインダの一方、あるいは、両方を同時に撮影者が視認可能である一眼レフカメラに関するものである。
【背景技術】
【０００２】
近年では、一眼レフカメラタイプのカメラにおいても、撮像素子の連続的な撮影画像を外部表示部（ディスプレイ）に表示する、いわゆるライブビュー表示による静止画撮影、さらには動画撮影が可能となっている。その際、一眼レフカメラの光学ファインダに被写体光を導く主ミラーが撮影光路外に退避してしまうために、カメラの撮影者は光学ファインダ像を視認できなくなり、代わりにカメラ背面に配置された外部表示部で被写界像を見ることになる。
【０００３】
しかしながら、光学ファインダと外部表示部でカメラを覗く姿勢が変わるのは煩わしい上、外部表示部を見ながらの一眼レフカメラの撮影は、カメラを保持する腕の脇をしめることが難しく、手振れを起し易い不安定な姿勢となるのが欠点である。とりわけ、三脚を使用しない手持ちでの望遠レンズ撮影は、非実用的なものであった。
【０００４】
この問題に対し、従来より、光学ファインダと電子ビューファインダの切り替えを可能とするカメラの提案がなされている。光学ファインダと電子ビューファインダとが同じ光路において切り替えが可能となれば、電子ビューファインダを使用するライブビュー表示撮影、さらには動画撮影においてもカメラのファインダを覗く撮影者の姿勢は、通常の光学ファインダを用いた状態と変わらないため、カメラを理想的な構えで保持し、撮影を行うことが可能となる。
【０００５】
光学ファインダと電子ビューファインダの両方を、カメラの撮影者が観察可能とする構成として最も現実的な手段は、光学ファインダの一部材であるペンタプリズムの射出面と接眼レンズとの間にハーフミラー（ハーフプリズム）を配置し、光学ファインダの光路途中から電子ビューファインダの表示光路を導入するものが考えられる。また、ハーフミラー面の反射だけではなく、２つの光路を合成するプリズムに全反射面を設定すると、ファインダ光学系の光量、つまりは撮影被写体像の明るさが低下しないという利点がある。
【０００６】
特許文献１においては、表示装置（電子ビューファインダのディスプレイとも解釈できる）の表示情報を２つの光路を合成する光学部材（プリズム）内部で３回反射させ光学ファインダの光路内に導き、被写体像と同一視野で観察可能なファインダ光学系も提案されている。
【先行技術文献】
【特許文献】
【０００７】
【特許文献１】特開２００７−２６４０２９号公報
【発明の概要】
【発明が解決しようとする課題】
【０００８】
しかしながら、特許文献１のようにプリズムのような光路合成部材を光学ファインダの光路中に設けることは、ファインダ光学系の接眼レンズの位置が物体面（この場合、焦点検出板）から遠ざかるためにファインダ倍率は低下する傾向となる。従って、光学ファインダとしての倍率を維持するために、光路合成部材を光学ファインダの光軸方向において、極力薄くする必要がある。
【０００９】
その一方では、光路合成部材を薄くすると、電子ビューファインダの光路がそれだけ狭くなってしまい、撮影表示範囲（ディスプレイ画面全体）を全て観察できるように光路設計を行うと、結果的に電子ビューファインダのファインダ倍率を小さくせざるを得ないことになる。
【００１０】
この場合、光学ファインダ時と電子ビューファインダ時のファインダ倍率が異なると、各々が切替った際に被写体像の大きさが変わるために、撮影者は違和感を覚えてしまう。
【００１１】
例えば、光学ファインダの観察時には、被写体人物の顔の表情を認識できたのに、電子ビューファインダに切換えたとき、ファインダ倍率が下がるために被写体が小さくなってしまい、人物の表情が良く分らなくなるといったように撮影に不都合なことも発生する。
【００１２】
つまり、カメラのファインダ装置を覗いている撮影者にとって快適な被写体の観察ができなくなるという問題があった。
【００１３】
そこで、本発明の目的は、光学ファインダと電子ビューファインダとの間でファインダ方式の切換えを行った場合、撮影状況に応じて最適な被写体像を見ることが可能な撮影装置を提供することにある。
【課題を解決するための手段】
【００１４】
上記目的を達成するために、本発明は、撮影レンズによって結像された被写体像を観察するための光学ファインダと、前記撮影レンズによって結像された被写体像を撮像する撮像手段と、前記光学ファインダを構成する接眼レンズの光路に配置された光路変更手段によって曲げられた光路上に配置され、且つ前記撮像手段にて得られた撮像画像を表示する電子ビューファインダと、被写体内の人物判定を行う人物判定手段と、を備え、前記光学ファインダの光学倍率が前記電子ビューファインダの光学倍率より大きい撮影装置であって、
前記撮像手段で得られた撮影画像の全範囲を前記電子ビューファインダにて表示する第１の表示モードと、前記撮像手段で得られた撮影画像を画像処理にて前記光学ファインダの光学倍率に一致するように拡大して前記電子ビューファインダに表示する第２の表示モードの少なくとも２つの表示モードを有し、
前記人物判定手段にて前記被写体内に人物が存在すると判定された場合、前記第２の表示モードを選択することを特徴とする。
【発明の効果】
【００１５】
本発明によれば、光学ファインダと電子ビューファインダの切換えを行った場合、ファインダを覗く撮影者は、撮影状況に応じて最適な大きさの被写体像、あるいは撮影視野を見ることが可能となり、光学ファインダと電子ビューファインダの光学倍率の差から生じる撮影上の不都合、違和感を軽減することができるものである。
【図面の簡単な説明】
【００１６】
【図１】ＥＶＦ表示フローの説明図１である
【図２】カメラの構成概略図である
【図３】ＥＶＦ表示例の説明図１である
【図４】カメラの電気ブロック図である
【図５】カメラの撮影シーケンス概略図である
【図６】ＥＶＦ表示例の説明図２である
【図７】ＥＶＦ表示例の説明図３である
【図８】カメラの操作部材の説明図である
【発明を実施するための形態】
【００１７】
以下に、本発明の好ましい実施の形態を、添付の図面に基づいて詳細に説明する。
【実施例１】
【００１８】
以下、本発明の実施形態を図１から図８に基づいて詳細に説明する。なお、図１〜図８において同一の要素部品には同じ番号がふってある。
【００１９】
図２は、本発明を適用した撮影装置としてのデジタル式一眼レフカメラの概略構成を示す図である。図２において、１０１はＣＰＵ（中央演算処理装置）であり、本カメラの動作は、このＣＰＵ１０１により制御される。１０５は撮影レンズであり、被写体光を撮像素子（撮像手段）であるＣＣＤ１０６上に結像させている。なお、図２に書かれた撮影レンズ１０５は、便宜的に１枚のレンズ１０５ａで表現しているが、実際には複数のレンズから成り立っている。
【００２０】
１２０は、撮影レンズ１０５のＣＣＤ１０６結像面と等価の結像面（一次結像面）に置かれた焦点検出板（以降、ピント板と称する）であり、被写体像は主ミラー１２３で反射され、ピント板１２０上に一次結像する。撮影者は、この被写体像をペンタプリズム１２８、さらには接眼レンズ群１２１を通じて見ることができる、いわゆるＴＴＬ方式の光学ファインダ構成となっている。一方、主ミラー１２３は、半透過ミラーとなっており、主ミラー１２３を透過した一部の光束は、サブミラー１２２を通じて焦点検出手段である焦点検出ユニット１１９に導かれ、周知の位相差検出方式の焦点検出動作を行う。焦点検出手段は、撮影画面の複数の領域について焦点検出が可能となっている。
【００２１】
１３０は、縦横２００×３００画素のＣＣＤからなる測光センサであり、測光レンズ１２９によってピント板１２０に結像した被写体像を複数の領域に分けた各々の輝度、色を検出することが可能となっている。また、測光センサ１３０の出力を用いてＣＰＵ１０１は顔認識、および色認識から被写体が人物か否かの判定を行うことができる。また、この測光センサ１３０も撮像手段と言うことができる。
【００２２】
撮影者がレリーズＳＷ１１４（不図示）を押すと、主ミラー１２６は撮影レンズ１０５の光路外に退避する。一方、撮影レンズ１０５によって集光された被写体光はフォーカルプレーンシャッタ１３３にてその光量制御がなされ、ＣＣＤ（撮像素子）１０６によって被写体像として光電変換処理表示された後、撮影済み画像として記録メディアに記録されるとともに、ＴＦＴ方式ディスプレイの外部表示部１１３に撮影画像の表示がなされる。これが通常の静止画撮影であるが、本カメラはそれ以外にライブビュー撮影、動画撮影も可能となっている。
【００２３】
光学ファインダ（ＯＶＦ）を備えた一般的な一眼レフカメラでは、前述のように撮影時に主ミラー１２３が撮影レンズ１０５の光路外に退避すると光学ファインダは真っ暗になり、被写体を見ることができなくなる。これに対して、本実施例の撮影装置では、光学ファインダ光路の途中に電子ビューファインダ（ＥＶＦ）を配置しているので、主ミラー１２３が撮影光路外に退避しても被写体像の確認が可能となっている。つまり、光学ファインダを覗くのと同じファインダ光学系の中で被写体観察を行うことができ、ライブビュー撮影を可能にしている。
【００２４】
ライブビュー撮影とは、主ミラー１２３を撮影光路から退避させ、シャッタ１３３を開放状態で、ＣＣＤ１０６が連続的に撮像を行い、その画像をカメラ背面部にある外部表示部１１３、あるいは電子ビューファインダの小型ＴＦＴ方式ディスプレイである内部表示部（表示手段）１２４のいずれか、あるいは両方において連続して画像表示を行い、この表示を観察しながら撮影者は任意のタイミングで静止画撮影を行うものである。
【００２５】
さらには、ライブビュー撮影状態から任意のタイミングで動画フォーマットへの変換、記録を行うのが動画撮影である。
【００２６】
図８は、カメラの外装部に配置されたライブビュースイッチ１４０と、動画撮影スイッチ１４１を示している。ライブビュースイッチ１４０は回転式のスイッチであり、スイッチの突起部が撮影モードのアイコン１４２の位置にある時は、光学ファインダを用いた通常の静止画撮影モードであり、アイコン１４３の位置に突起部を移動させると、カメラの撮影モードはライブビュー撮影モードに設定される。また、ライブビュー撮影モード時に動画スタート・ストップスイッチ１４１を押すと、動画撮影・記録が開始され、再度、ボタンの押し直しで動画撮影は停止するようになっている。
【００２７】
次に、電子ビューファインダに関する光学構成について、以下の説明を行う。
【００２８】
図２において、１２６、１２７は、それぞれ表示プリズム１、表示プリズム２である。表示プリズム１と表示プリズム２は、その間に薄い空気層を伴った状態で保持がなされている。表示プリズム１の一方の面１２６ｂはペンタプリズム１２８に接合されており、接合面１２６ｂはハーフミラーになっている。内部表示部１２４に表示された画像は、表示プリズム１の表示プリズム２に対抗する面１２６ａにて全反射し、ペンタプリズム１２８へ接合されているハーフミラー面１２６ｂにてその一部の光が反射し、撮影者の眼に入射する。
【００２９】
ライブビュー撮影時、あるいは動画撮影時は、光路変更手段としての主ミラー１２３が撮影光路外に退避しているため、撮影レンズ１０５からの被写体光は撮影者の眼に到達しないため、内部表示部１２４に表示された被写体像のみを撮影者は観察することができる。また、被写体からの光は、ハーフミラー面１２６ｂにてその光量の一部が減衰するが、その多くの光は透過し、表示用の全反射面１２６ａでも全反射は起きずに、そのまま撮影者の眼に到達する。
【００３０】
ここで、ハーフミラー面１２６ｂは、光学ファインダの光量減を実用上最小限としたいので、透過率が８０％前後、内部表示部１２４の光は２０％反射（８０％減衰）前後になるように設定し、電子ビューファインダの光量減衰分は、内部表示部１２４であるＴＦＴバックライト輝度を明るくすることで、光学ファインダと電子ビューファインダの光量バランスをとっている。
【００３１】
光学ファインダは、撮影レンズ１０５によってピント板１２０に投影された被写体像を接眼レンズ群１２１で拡大して見るものである。一方、電子ビューファインダの場合、接眼レンズ群１２１は光学ファインダと共用しており、該接眼レンズ群１２１からピント板までの光路長よりも短い光路長位置に配置された内部表示部１２４の視度をピント板１２０と一致させるためにＥＶＦレンズ１２５が配置されている。
【００３２】
以上の構成により、本カメラの撮影者は、通常の静止画撮影時には通常の光学ファインダにて被写体の観察を行うが、ライブビュー撮影、あるいは動画撮影時においても、光学ファインダを覗いていた同じ姿勢のままに、内部表示部１２４による表示、いわゆる電子ビューファインダを用いた被写体観察が可能となっている。
【００３３】
また、ＣＣＤ１０６にて連続的に撮像されている画像を内部表示部１２４に表示するか、外部表示部１１３に表示をするかは、カメラが自動的に選択を行うようになっている。撮影者がカメラのファインダを覗いているか否かを検知するセンサ（不図示）が接眼レンズ１２１の近傍に設けられており、その出力に応じて、撮影者がカメラのファインダを覗いていれば撮影画像は内部表示部１２４に表示がなされ、撮影者がカメラのファインダを覗いていない場合には、外部表示部１１３に画像表示がなされる。
【００３４】
また、光路変更手段としての主ミラー１２３が撮影光路内に位置している場合、つまり、静止画撮影状態で光学式ファインダが有効になっている場合でも、内部表示部１２４に焦点検出領域や、電池残量、ＩＳＯ感度値などの情報をキャラクタ、あるいは数字で表示すれば、撮影被写体の光学像に重畳させてスーパーインポーズ表示を行うことが可能である。
【００３５】
以上、光学ファインダと電子ビューファインダを両立させた光学系の説明を行ってきたが、本構成を採用すると光学ファインダとしては性能上不利になる面もある。表示プリズム１、２は、光学ファインダにとって本来不要であり、それらがファインダ光路中に挿入されることで接眼レンズ１２１群がピント板１２０から遠ざかることになり、視野角、倍率、視野率といった光学ファインダの性能が低下する要因となっているからである。そこで、優先度の高い光学ファインダの性能を維持するために、光学ファインダの光路が横切る表示プリズム１、２の厚みは必要最低限とするのが望ましい。
【００３６】
図４は、本発明の実施例１によるデジタルカメラの概略構成を示す電気ブロック図である。図４において、１０１は前述のＣＰＵ（中央演算処理装置）であり、その内部には不揮発性メモリであるＥＥＰＲＯＭ１０１ａが構成されている。また、ＣＰＵ１０１には、制御プログラムを記憶しているＲＯＭ（リードオンリーメモリ）１０２、ＲＡＭ（ランダムアクセスメモリ）１０３、データ格納手段１０４、画像処理部１０８、表示制御部１１１、レリーズＳＷ１１４、電源を供給するためのＤＣ／ＤＣコンバータ１１７がそれぞれ接続され、画像処理部１０８にはＣＣＤ制御部１０７、さらにＣＣＤ１０６が接続されている。ＣＣＤ１０６は、有効画素数約１０００万画素（３８８８×２５９２画素）を有している。
【００３７】
カメラの外装背面部、ファインダ内にそれぞれ設けられた外部表示部１１３、内部表示部１２４は、ＣＣＤ１０６にて撮像された画像を縦横各々間引き処理された画像を表示することのできるＴＦＴカラー液晶である。表示制御部１１１は、ＣＣＤ１０６にて撮像された静止画像、動画像の外部表示部１１３、内部表示部１２４への表示の駆動を行っている。モータ制御部１２５は、ＣＰＵ１０１の指示を受けてミラー駆動を始め、カメラ内部の複数のモータを制御している。また、ＤＣ／ＤＣコンバータ１１７には電池１１６から電源が供給されている。
【００３８】
ＣＰＵ１０１は、ＲＯＭ１０２内の制御プログラムに基づいて各種制御を行う。これらの制御の中には、画像処理部１０８から出力された撮影画像信号を読み込み、ＲＡＭ１０３へ転送を行う処理、同様に、ＲＡＭ１０３よりＬＣＤ制御部１１１へデータを転送する処理、また、画像データをＪＰＥＧ圧縮し、ファイル形式でデータ格納手段１０４へ格納する処理がある。動画データの場合も同様な処理を経て、ＭＯＶ形式のファイルに圧縮され、データ格納手段１０４へ格納される。
【００３９】
さらに、ＣＰＵ１０１は、ＣＣＤ１０６、ＣＣＤ制御部１０７、画像処理部１０８、ＬＣＤ制御部１１１などに対してデータ取り込み画素数やデジタル画像処理の変更指示を行う。
【００４０】
１１９は、前述の焦点検出用の一対のラインＣＣＤセンサを含んだ焦点検出制御部であり、ラインセンサから得た電圧をＡ／Ｄ変換し、ＣＰＵに送る。また、ＣＰＵ１０１の指示のもとに、焦点検出制御部１１９はラインセンサの蓄積時間とＡＧＣ（オートゲインコントロール）の制御も行う。
【００４１】
また、レリーズＳＷ１１４の操作に伴う撮影動作の指示、各素子への電源の供給をコントロールするための制御信号をＤＣ／ＤＣコンバータ１１７に対して出力する等の様々な処理もＣＰＵ１０１の制御の基に行われている。
【００４２】
ＲＡＭ１０３は、画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、または画像圧縮処理、解凍処理のための画像専用ワークエリアとして使用される。
【００４３】
ワークエリア１０３ｂは各種プログラムのためのワークエリアである。ＶＲＡＭ１０３ｃは表示部１１３へ表示する表示データを格納するＶＲＡＭとして使用される。また、一時退避エリア１０３ｄは各種データを一時退避させるためのエリアである。
【００４４】
データ格納手段１０４は、ＣＰＵ１０１によりＪＰＥＧ圧縮された撮影画像データ、あるいはＭＯＶ形式動画像データをファイル形式で格納しておくためのフラッシュメモリである。ＣＣＤ１０６は、ＣＰＵ１０１からの解像度変換指示に従って、水平方向および垂直方向の間引き画素データの出力が可能である。
【００４５】
ＣＣＤ制御部１０７は、ＣＣＤ１０６に転送クロック信号やシャッタ信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路を有しており、さらには外部表示部１１３、内部表示部１２４にライブビュー表示、および動画撮影を行うために、ＣＰＵ１０１からの解像度変換指示に従って、画素間引き処理を行うための回路等を含んでいる。
【００４６】
また、画像処理部１０８は、ＣＣＤ制御部１０７より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これら撮影レンズ１０５、ＣＣＤ１０６、ＣＣＤ制御部１０７、画像処理部１０８から撮像手段が構成されている。
【００４７】
表示制御部１１１は、画像処理部１０８から転送されたＹＵＶデジタル画像データ、あるいはデータ格納手段１０４の画像ファイルに対してＪＰＥＧの解凍を行ったＹＵＶデジタル画像データを受け取り、ＲＧＢデジタル信号へ変換した後、外部表示部１１３、あるいは内部表示部１２４へ出力する処理を行う。
【００４８】
レリーズＳＷ１１４は、撮影動作の開始を指示するためのものである。このレリーズＳＷ１１４は不図示のカメラ操作部材であるレリーズボタンの押下圧によって２段階のスイッチポジションを有しており、１段目のポジション（ＳＷ１  ＯＮ）の検出で、ホワイトバランス、測光等のカメラ設定のロック動作が行われ、２段目のポジション（ＳＷ２  ＯＮ）の検出で、被写体画像信号の取り込み動作が行われる。
【００４９】
測光制御部１３２は、ＣＰＵ１０１の指示に従って、ＣＣＤからなる測光センサ１３０を駆動制御し、被写体輝度信号を取り込み、ＣＰＵ１０１にデータを送る。
【００５０】
基本的な測光動作としては、測光センサ１３０の受光面の画素において発生した輝度信号はＣＰＵ１０１にて各々Ａ／Ｄ変換が行われ、各々８ビットのデジタル信号となる。これに撮影レンズの明るさを示すＦｎｏ．（実効Ｆｎｏ．）の値の補正、センサ出力信号のバラツキ補正（レベル・ゲインの調整）、さらには撮影レンズ１０５から送られてくる情報等から測光補正が行われ、最終的に被写界輝度信号値を得ることができる。
【００５１】
これらの情報に基づいてカメラの最適露出演算が行われ、カメラのシャッタスピード、撮影レンズの絞りを最適に制御することで最適な露光を得ることができる。また、前述の通り、測光センサ１３０は露出制御のみならず、測光センサ１３０が出力する多数の被写界輝度信号、色信号に基づいて、ＣＰＵ１０１の演算処理によって被写体検出、ひいては撮影シーン判別が可能である。また、１１６はリチャージャブルの２次電池あるいは乾電池であり、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。
【００５２】
このＤＣ／ＤＣコンバータ１１７は、ＣＰＵ１０１からの制御信号により、各々の電圧供給の開始、停止を制御できるようになっている。
【００５３】
次に、ライブビュー撮影モードにおけるカメラの撮影動作について、図１、図５のフローチャートとファインダ視野図である図３を用いて詳細な説明を行う。
【００５４】
図５のフローチャートはカメラの撮影動作を説明したものである。
【００５５】
ステップＳ２００にてカメラの電源がＯＮされると、ステップＳ２０１にてＣＰＵ１０１はカメラのスイッチ操作部材がライブビュー撮影モードに設定されているか否かの検出を行う。ステップ２０１にてカメラがライブビュー撮影モードに設定されていなければ、ステップＳ２１７にて光学ファインダを使用した通常の静止画撮影モードでの動作を行う。静止画撮影モードの動作は、レリーズＳＷ１１４のＯＮ（ＳＷ２  ＯＮ）から始まり、静止画撮影、記録という一眼レフスチルカメラとして一般的なシーケンスとなっており、本発明と直接の関係はないので省略する。
【００５６】
一方、ステップ２０１にてカメラがライブビュー撮影モードに設定されていると、ステップＳ２０２にて、電子ビューファインダの表示部である内部表示部１２４に表示する動画像の表示モード（以下ＥＶＦ表示モードと称する）が決定される。
【００５７】
ここで、図３（ａ）〜図３（ｃ）および図１を用いてＥＶＦ表示モードについて説明する。図３（ａ）はカメラの主ミラー１２３が撮影光路内に静止している撮影待機状態にあり、光学ファインダにて撮影者が見ることのできる被写体像を示している。ここで、被写体像の内部の複数の四角い枠は、被写体に対し撮影レンズ１０５が合焦状態にある焦点検出領域を示しており、内部表示部１２４にて表示された四角い枠のキャラクタが光学ファインダ被写体像と重畳されて見えている。また、この光学ファインダの光学的な仕様は、焦点距離５０ｍｍの撮影レンズ１０５をカメラに装着した際のファインダ倍率が１．０倍であり、撮影領域とファインダで視認可能な被写体領域との比率を意味するいわゆる視野率が１００％となっている。
【００５８】
図３（ｂ）は、光学ファインダから電子ビューファインダに切替った際に見ることのできる被写体像を示しており、その被写体像は、ＣＣＤ１０６にて撮像された被写体像が光電変換され、画像処理を経て、内部表示部１２４によって表示された電子画像となっている。この時の電子ビューファインダの仕様は、ファインダ倍率が０．８倍、視野率１００％である。
【００５９】
ここで、電子ビューファインダの像倍率が光学ファインダよりも低いのは、前述したように光学ファインダ性能を優先させたことと、カメラ外形の大型化を防ぐために、内部表示部１２４に小型ディスプレイ（例えば０．５インチパネルサイズ）を採用したことによるものである。内部表示部１２４が小型になった時点で、光学ファインダと共用している接眼レンズ１２１群はそのパワー（拡大率）が不足し、表示パネル全面を視認できる（視野率１００％に同義）ようにＥＶＦファインダ光学系を設計するとＥＶＦのファインダ倍率が下がらざるを得ないのである。
【００６０】
このときのＥＶＦ表示形態をＥＶＦ表示モード１（第１の表示モード）とする。
【００６１】
一方、図３（ｃ）は、同じ内部表示部１２４に光学ファインダと同じ倍率１．０倍（図３（ｂ）の像倍率の１．２５倍）に電子ズームした画像を表示したものである。この場合、図内の点線が本来ＣＣＤ１０６に投影された被写体像の範囲であり、撮影はなされるがファインダ表示はできない領域であり、この場合、視野率は１００÷１．２５の８０％となる。
【００６２】
この時の表示形態をＥＶＦ表示モード２（第２の表示モード）とする。ＥＶＦ表示モード２では、例えば、内部表示部１２４に９６０×６４０画素のＴＦＴ方式パネルを用いれば、ＣＣＤ１０６の画素が３８８８×２５９２画素なので、約４倍の電子ズームまでであれば充分に高精細なファインダ像を見ることができる。
【００６３】
さらに、図３（ｃ）のＥＶＦ表示範囲を撮像画素範囲内で移動させて表示することによって、撮影構図全体を確認することもできる。
【００６４】
例えば、図６は、ＥＶＦ表示範囲を撮像画素範囲の左上端まで移動させた表示となっている。なお図６の破線は、ＥＶＦで表示可能な情報範囲（つまり撮像された範囲）を示したものである。このＥＶＦ表示範囲の移動は、カメラ外観部にある方向スイッチや、外部表示部１１３のタッチパネルによる操作で可能となる。操作部材の動作中（指で押す、さわる等）は操作をした方向の端まで移動した画面を表示するが、動作をやめると本来の撮影構図を中心とした表示位置に戻るようになっている。
【００６５】
また、図３（ｂ）のＥＶＦ表示モード１、図３（ｃ）のＥＶＦ表示モード２のいずれにおいても、焦点検出領域を示す四角い枠は、内部表示部１２４で表示されるＥＶＦ被写体像に重畳されて表示がなされる。また、その表示位置、および枠の大きさは、主被写体との関係が同じになるように、ファインダ倍率に比例して変化させている。従って、ファインダ倍率が大きい方がより撮影レンズ１０５のピントを被写体の特定の位置に正確に合せることができる。さらには、枠の太さもファインダ倍率が低い時は細く、倍率が高い時は太く表示させている。
【００６６】
そこで、本実施例のカメラでは、ファインダ倍率は小さいが全視野を表示することができる撮影構図を重視する撮影に適したＥＶＦ表示モード１（図３（ｂ））と、表示視野は狭いが倍率は光学像と同じであるため、ピント確認がし易く、主被写体観察を重視した撮影に適したＥＶＦ表示モード２（図３（ｃ））という２つのＥＶＦ表示モードを有している。
【００６７】
さらには、撮影状況に応じて２つの表示モードを適宜切換えて表示することで、電子ビューファインダの視野角が小さいという欠点を補うようにしている。
【００６８】
それでは、上記２つのＥＶＦ表示モードからカメラはどのようにして１つのモードを決定するのかを図１の表示モードの選択フローチャート（表示モード選択手段）を用いて説明する。
【００６９】
ステップＳ３００において、撮影者はカメラ（撮影装置）の背面に設けられた外部表示部１１３の画面を見ながらＥＶＦ表示モードの設定を行うことができる。最初にステップ３０１にてＥＶＦ表示モードをカメラに自動的に行わせるか否かの選択を行う。もし、自動で行わせたくないのであれば、ステップＳ３０５にて撮影者が手動で上記ＥＶＦ表示モード１、あるいは上記ＥＶＦ表示モード２を選択、固定することが可能である。
【００７０】
一方、カメラが自動的にＥＶＦ表示モードを選択させるように設定すると、ステップＳ３０２でカメラは撮影構図内に所定の大きさ以上の人物が存在しているか否かの判定を行う。実際の人物判定は、前述したように、ＣＰＵ１０１が、縦横２００×３００画素のＣＣＤからなる測光センサ１３０の信号からエッジ処理、色情報等の処理をすることで顔認識、つまり、人物の存在判定を行うことができる（人物判定手段）。顔認識、人物検出の処理については種々提案がなされているので、ここでは割愛する。
【００７１】
ステップＳ３０２で撮影被写体がある大きさを持った人物像であると判定された場合は、ステップＳ３０３にて倍率を重視したＥＶＦ表示モード２（図３（ｃ））が選択される。一方、ステップＳ３０２で撮影被写体がある大きさ以下の人物像、あるいは、撮影被写体が存在しないと判定された場合には、ステップＳ３０４にて、撮影構図を重視したＥＶＦ表示モード１（図３（ｂ））が選択される。
【００７２】
以上のフローにて決定されたＥＶＦ表示モードが、ステップＳ２０２（図１、図５共通）にてカメラにセットされる。これが表示モード選択手段であり、ここでは、人物判定手段の結果に基づいて選択がなされていることになる。
【００７３】
ここで、再び、図５のカメラの撮影動作のフローチャートに戻る。
【００７４】
ステップＳ２０２で、ＥＶＦ時の表示の仕方が決まると、ＣＰＵ１０１は主ミラー１２３を撮影レンズの光路外へ退避させ（ミラーアップ）、フォーカルプレーンシャッタ１３３を開放状態に保つという、一連のメカシーケンスがステップ２０３にて実行される。
【００７５】
次に、カメラはステップＳ２０４でＣＣＤ１０６にて撮影レンズ１０５によって投影された被写体像の光電変換を行い、画像処理部１０８を介して電気信号をステップＳ２０５で内部表示部１２４に被写体像の表示を連続して行う。
【００７６】
ステップＳ２０６にて、レリーズＳＷ１１４の２段目のポジション（ＳＷ２  ＯＮ）の検出がなされると、ステップＳ２０７にて通常の静止画撮影動作を行い、ステップＳ２０８にて静止画撮影は終了する。
【００７７】
一方、ステップＳ２０６にてＳＷ２  ＯＮが検出されない場合は、ステップＳ２０９にて動画スタート・ストップスイッチ１４１がＯＮしているかの検出を行い、動画スタート・ストップスイッチ１４１がＯＮしていれば、ステップＳ２１０にて録画を開始し、動画スタート・ストップスイッチ１４１がＯＦＦ状態であれば、再度ステップＳ２０６のＳＷ２  ＯＮの検出に戻る。
【００７８】
ステップＳ２１１にて動画スタート・ストップスイッチ１４１のＯＦＦを検知すると、ステップＳ２１２にて動画撮影を終了する。動画スタート・ストップスイッチ１４１のＯＦＦが検知されなければ、動画撮影は継続される。ステップＳ２０８、ならびにステップＳ２１２にて静止画、動画の撮影が終了すると、ステップＳ２１３でライブビュー撮影モードに設定されているか否かの検出が行われ、依然としてライブビュー撮影モードの状態であれば、ステップＳ２０６に戻ってＳＷ２  ＯＮの検出判定を行う。一方、ライブビュー撮影モードではなく、静止画撮影モード（ライブビュースイッチ１４０  ＯＦＦ）に変更されたことを検出した場合は、ステップＳ２１４にて、ＣＰＵ１０１はＣＣＤ１０６のライブビュー撮像動作を停止させるとともに、ステップＳ２１５で電子ビューファインダの内部表示部１２４の表示も停止させる。
【００７９】
続いて、ＣＰＵ１０１は、ステップＳ２１６にて主ミラー１２３を撮影レンズの光路上に戻し（ミラーダウン）、フォーカルプレーンシャッタ１３３を閉鎖状態に保つという一連のメカシーケンスを実行する。つまり、ライブビュー撮影モードはここで完全に停止することになり、再び、ステップＳ２０１のライブビューモードにあるか否の判定を待つことになる。
【００８０】
また、図５のステップＳ２０２のＥＶＦ表示モードの決定では、上記説明した図２のフローチャートによるものではない他の手段を用いても良い。例えば、カメラの撮影において、あらかじめ撮影者が撮影モードを指定することができる（撮影モード切換え手段）ので、選択された撮影モードに応じて最適なＥＶＦ表示モードが選択されるようにしても良い。撮影モードの設定は、カメラ外装部のダイヤル（不図示）を指定の位置まで回転させることで設定を行う。
【００８１】
撮影モードの代表的なモードであるポートレートモードは撮影レンズ１０５の絞り値を極力開く（Ｆｎｏ．を明るく）ように露出制御する撮影モードであり、撮影レンズの被写界深度が浅くなるため、人物がより強調される画像が得られる。
【００８２】
この場合は、ＥＶＦ表示モード２（図３（ｃ））にてＥＶＦの表示を行うようにする。一方、風景モードは撮影レンズ１０５の絞りを絞って、被写界深度を深くし、近くから遠くまでピントが合う撮影モードなので、撮影構図を重視したＥＶＦ表示モード２に表示モードが自動的に設定される。このように撮影モードとＥＶＦ表示モードを対応づけしておくことでもＥＶＦ表示モードの決定を行うことができる。つまり、この場合、表示モード選択手段は、撮影モード切換え手段の信号に基づいて実行されていることになる。
【００８３】
さらに、図５のカメラの撮影動作のフローチャートのステップＳ２０２のＥＶＦ表示モードセットの説明において、図１の表示モード選択のフローチャートで、ＣＰＵ１０１が、縦横２００×３００画素のＣＣＤからなる測光センサ１３０の信号からエッジ処理、色情報等の処理をすることで顔認識、つまり、人物の存在判定を行うことができる（人物判定手段）としているが、撮影記録用のＣＣＤ１０６を代わりに用いることもできる。
【００８４】
この場合、シーケンス的には、主ミラー１２３が撮影レンズ光路外へ退避し、フォーカルプレーンシャッタ１３３が開放され、撮像を開始し、一旦、例えば、撮影全視野が表示されるＥＶＦ表示モード１にて電子ビューファインダ表示を実行する。次に、ＣＣＤ１０６の撮像信号からＣＰＵ１０１が撮影される被写体の人物判定を実行し、撮影シーン解析を行い、適切なＥＶＦ表示モードに切り替えるということになる。
【００８５】
もし、撮影される被写体が人物だと判断されれば、ＥＶＦ表示モード１（図３（ｂ））からＥＶＦ表示モード２（図３（ｃ））に切替るので、撮影者は一瞬とまどいを感じるかも知れないが、カメラに搭載されている測光センサが上記実施例と異なり、人物判定を行うには充分な分割数、機能を有していない場合には有効な手段である。
【００８６】
以上のようにファインダ倍率は小さいが全視野を表示することができるＥＶＦ表示モード１（図３（ｂ））と、表示視野は狭いが倍率は光学像と同じであるＥＶＦ表示モード２（図３（ｃ））の２つのＥＶＦ表示モードを、撮影状況、撮影モードに応じて適宜切換えて表示するカメラの説明を行ってきた。
【００８７】
しかしながら、本発明は上記２つのＥＶＦ表示モードのみに限定されるわけではない。例えば、図７に示したＥＶＦ表示モードは、人物近傍は光学ファインダ並みの倍率であり、かつ、撮像画像の周辺までを電子ビューファインダにて表示可能とした例である。
【００８８】
この表示モードについて以下説明を行う。
【００８９】
前記のごとく本実施例のカメラでは、測光センサ１３０の被写体像信号からＣＰＵ１０１によって行われる人物判定手段により、撮影画面上での主被写体の位置、主被写体の大きさが計測できる。そこで、図７において、主被写体である人物を含んだ特定の領域１３９を設定し、該領域内を光学ファインダ並みの倍率となるように電子ズーム表示を行うようにする。さらに、特定領域１３９から画面端の領域に行くに従って、画素間引きの割合を段階的、連続的に大きくしていくことで、結果的に全画像範囲、全視野を表示することが可能となる。
【００９０】
つまり、被写体内の人物判定を行う人物判定手段１０６、１３０を備え、前記人物判定手段にて前記被写体内に人物が存在すると判定された場合、前記撮像手段１０５で得られた撮影画像を画像処理にて人物を含む特定領域を前記光学ファインダ１２１の光学倍率に一致するように部分的に拡大し、前記人物を含む特定領域から表示画面周辺に至るまでの領域について段階的に前記光学ファインダ１２１の光学倍率よりも低い倍率となるよう表示することによって、前記撮像手段１０５で得られた撮影画像の全範囲を前記電子ビューファインダ１２４にて表示する第３の表示モードを有する。
【００９１】
ここで、特定の領域を小さくしすぎると、主被写体が大きく表示される効果が少なくなり、逆に大きく設定してしまうと、主被写体周辺の背景がいびつな像となり不自然さを感じる可能性が高い。よって、主被写体の大きさよりもやや小さく領域を設定することが望ましい。また、特定の領域１３９の範囲全体を必ずしも光学像並みの均一倍率とする必要はなく、該領域内の領域中心から緩やかに倍率を落とし、領域外になると倍率の落とし方（間引き）を顕著に変えるようにすると、より滑らかな被写体像の表示を行うことが可能となる。
【００９２】
以上、本発明の好ましい実施形態について説明したが、本発明はこれらの実施形態に限定されるものではない。例えば、これまでのファインダ構成の説明では、光学ファインダと電子ビューファインダを両立させるために、表示プリズム１、２を用いているが、単純にハーフミラーを１枚配置する構成でも本発明への適用は可能であり、また、ＥＶＦ表示モードについて本説明で述べた電子ビューファインダの表示形態以外の例であっても、その要旨の範囲内で種々の変形及び変更が可能である。
【符号の説明】
【００９３】
１０１  ＣＰＵ
１０５  撮影レンズ
１０６  ＣＣＤ
１２０  ピント板（焦点検出板）
１２１  接眼レンズ
１２３  主ミラー
１２４  内部表示部（ディスプレイパネル）
１２６  表示プリズム１
１２７  表示プリズム２
１２８  ペンタプリズム
１３０  測光センサ
【図１】
0005901337.tif 000002
【図２】
0005901337.tif 000003
【図３】
0005901337.tif 000004
【図４】
0005901337.tif 000005
【図５】
0005901337.tif 000006
【図６】
0005901337.tif 000007
【図７】
0005901337.tif 000008
【図８】
0005901337.tif 000009